(57)【要約】    【課題】  光学系全体が小型で、高速なフォーカシングが容易で、しかも高ズーム比で、全ズーム範囲及び全物体距離にわたり高い光学性能が容易に得られるズームレンズを得ること。    【解決手段】  物体側から像側へ順に、正の屈折力の第１レンズ群、負の屈折力の第２レンズ群、正又は負の屈折力の第３レンズ群、正又は負の屈折力の第４レンズ群、正の屈折力の第５レンズ群、負の屈折力の第６レンズ群、正の屈折力の第７レンズ群から構成され、像ぶれ補正に際して、第６レンズ群が光軸に対して垂直方向の成分を持つように移動し、第６レンズ群の焦点距離ｆ６、広角端における焦点距離ｆｗ、望遠端における第６レンズ群の横倍率β６ｔ、望遠端における第７レンズ群の横倍率β７ｔを各々適切に設定すること。【選択図】    図１
2015132637.tif 000002
【特許請求の範囲】
【請求項１】
物体側から像側へ順に、正の屈折力の第１レンズ群、負の屈折力の第２レンズ群、正又は負の屈折力の第３レンズ群、正又は負の屈折力の第４レンズ群、正の屈折力の第５レンズ群、負の屈折力の第６レンズ群、正の屈折力の第７レンズ群から構成され、
ズーミングに際して隣り合うレンズ群の間隔が変化するズームレンズにおいて、
像ぶれ補正に際して、前記第６レンズ群が光軸に対して垂直方向の成分を持つように移動し、
前記第６レンズ群の焦点距離をｆ６、広角端における全系の焦点距離をｆｗ、望遠端における前記第６レンズ群の横倍率をβ６ｔ、望遠端における前記第７レンズ群の横倍率をβ７ｔとするとき、
−６．０＜（１−β６ｔ）×β７ｔ＜−２．０
−５．０＜ｆ６／ｆｗ＜−０．５
なる条件式を満たすことを特徴とするズームレンズ。
【請求項２】
前記第２レンズ群の焦点距離をｆ２、望遠端における全系の焦点距離をｆｔとするとき、
０．０５＜｜ｆ２｜／ｆｔ＜０．５０
なる条件式を満たすことを特徴とする請求項１に記載のズームレンズ。
【請求項３】
前記第５レンズ群の焦点距離をｆ５、望遠端における全系の焦点距離をｆｔとするとき、
０．０５＜ｆ５／ｆｔ＜０．５０
なる条件式を満たすことを特徴とする請求項１又は２に記載のズームレンズ。
【請求項４】
前記第１レンズ群の焦点距離をｆ１とするとき、
２．０＜ｆ１／ｆｗ＜９．０
なる条件式を満たすことを特徴とする請求項１乃至３のいずれか１項に記載のズームレンズ。
【請求項５】
前記第２レンズ群の焦点距離をｆ２とするとき、
０．２５＜ｆ２／ｆ６＜２．００
なる条件式を満たすことを特徴とする請求項１乃至４のいずれか１項に記載のズームレンズ。
【請求項６】
前記第７レンズ群の焦点距離をｆ７、望遠端における全系の焦点距離をｆｔとするとき、
０．１５＜ｆ７／ｆｔ＜２．００
なる条件式を満たすことを特徴とする請求項１乃至５のいずれか１項に記載のズームレンズ。
【請求項７】
広角端における前記第２レンズ群の横倍率をβ２ｗ、望遠端における前記第２レンズ群の横倍率をβ２ｔとするとき、
１．１＜β２ｔ／β２ｗ＜８．０
なる条件式を満たすことを特徴とする請求項１乃至６のいずれか１項に記載のズームレンズ。
【請求項８】
広角端における前記第６レンズ群の横倍率をβ６ｗ、広角端における前記第７レンズ群の横倍率をβ７ｗとするとき、
１．０＜（β６ｔ／β６ｗ）×（β７ｔ／β７ｗ）＜２．０
なる条件式を満たすことを特徴とする請求項１乃至７のいずれか１項に記載のズームレンズ。
【請求項９】
前記第３レンズ群は正の屈折力を有し、前記第４レンズ群は負の屈折力を有し、前記第３レンズ群の焦点距離をｆ３、前記第４レンズ群の焦点距離をｆ４とするとき、
０．５＜｜ｆ３／ｆ４｜＜１．２
なる条件式を満たすことを特徴とする請求項１乃至８のいずれか１項に記載のズームレンズ。
【請求項１０】
前記第６レンズ群は１つの正レンズＧ６ｐと１つの負レンズＧ６ｎから構成され、前記正レンズＧ６ｐの材料のアッベ数をνｄ６ｐ、前記負レンズＧ６ｎの材料のアッベ数をνｄ６ｎ、前記負レンズＧ６ｎの焦点距離をｆ６ｎとするとき、
１．２＜νｄ６ｎ／νｄ６ｐ＜３．０
０．０２＜ｆ６ｎ／ｆ６＜０．６０
なる条件式を満足することを特徴とする請求項１乃至９のいずれか１項に記載のズームレンズ。
【請求項１１】
請求項１乃至１０のいずれか１項に記載のズームレンズと、該ズームレンズによって形成された像を撮像する撮像素子を有することを特徴とする撮像装置。
【発明の詳細な説明】
【技術分野】
【０００１】
本発明はズームレンズ及びそれを有する撮像装置に関し、特にスチルカメラ、ビデオカメラ、デジタルスチルカメラ、ＴＶカメラ、そして監視用カメラ等の撮像装置に好適なものである。
【背景技術】
【０００２】
近年、固体撮像素子を用いた撮像装置は高機能化され、また、装置全体が小型化されている。そしてそれに用いる撮影レンズ（撮影光学系）としては、レンズ全長（第１レンズ面から像面までの距離）が短く、全系が小型でしかも広範囲の焦点距離域を含む高ズーム比のズームレンズであることが要求されている。更に無限遠物体から近距離物体に至る全物体距離にわたり高い光学性能を有するズームレンズであること等が要求されている。
【０００３】
高ズーム比化が容易なズームレンズとして最も物体側のレンズ群が正の屈折力のレンズ群より成るポジティブリードタイプのズームレンズが知られている。また光学系全体の小型化が容易なズームレンズとして、物体側から数えて第２レンズ群以降のレンズ群を光軸方向に移動させてフォーカシングする所謂インナーフォーカス方式又はリアフォーカス方式を用いたズームレンズが知られている。
【０００４】
従来、ポジティブリードタイプでリアフォーカス方式を用い、全系が小型で高ズーム比のズームレンズが知られている（特許文献１乃至３）。特許文献１は物体側より像側へ順に、正，負，正，負，正，正の屈折力の第１レンズ群乃至第６レンズ群よりなり、各レンズ群を移動させてズーミングを行い、第３レンズ群又は第４レンズ群を移動させてフォーカシングを行うズームレンズを開示している。
【０００５】
特許文献２は、物体側より像側へ順に正、負、正、負、正、負の屈折力の第１レンズ群乃至第６レンズ群より成り、各レンズ群を移動させてズーミングを行い、第６レンズ群を移動させてフォーカシングを行ったズームレンズを開示している。特許文献３は物体側から像側へ順に、正，負，正，負，正，負，正の屈折力の第１レンズ群乃至第７レンズ群より成り、隣り合うレンズ群の間隔を変えてズーミングを行い、第６レンズ群を移動させてフォーカシングを行うズームレンズを開示している。
【先行技術文献】
【特許文献】
【０００６】
【特許文献１】特開２０１３−８０１５３号公報
【特許文献２】特開平０４−１８６２１２号公報
【特許文献３】特開２００４−３１７８６７号公報
【発明の概要】
【発明が解決しようとする課題】
【０００７】
近年、撮像装置に用いるズームレンズには、広画角、高ズーム比で、かつレンズ系全体が小型で、軸上収差、軸外収差、そして色収差等の諸収差を良好に補正した高い光学性能を有するズームレンズが強く要望されている。一般にズームレンズにおいて、所定のズーム比を確保しつつ、全系の小型化を図るためには、ズームレンズを構成する各レンズ群の屈折力を強めつつ、レンズ枚数を削減すれば良い。しかしながら、このように構成したズームレンズは、各レンズ面の屈折力の増加に伴いレンズ肉厚が増してしまい、全系の短縮効果が不十分になると同時に諸収差の発生が多くなってくる。
【０００８】
ポジティブリード型のズームレンズにおいて、全系の小型化と、高ズーム比を確保しつつ高い光学性能を得るには、ズームレンズを構成する各要素を適切に設定することが重要となってくる。例えばズームタイプ（レンズ群の数や各レンズ群の屈折力）、各レンズ群のズーミングに伴う移動軌跡、そして各レンズ群の変倍負担や屈折力分担等の構成を適切に設定することが重要である。
【０００９】
また、近年、フォーカシングに際しては、動画撮影に適したフォーカシング方式が要望されている。例えば高速なフォーカシングが容易で、しかもフォーカシングに際して収差変動が少なく、全物体距離にわたり高い光学性能を有するフォーカシング方式が要求されている。
【００１０】
一般に、フォーカシングが高速で、それに伴う収差変動を少なくし、全物体距離にわたり高い光学性能を得るには、フォーカシング用のレンズ群（フォーカスレンズ群）の選定及びフォーカスレンズ群のレンズ構成等を適切に設定することが重要になってくる。これらの構成が適切でないと、全系が大型化し、フォーカシングに伴う諸収差の変動が増大し、全物体距離にわたり高い光学性能を得るのが大変難しくなってくる。
【００１１】
本発明は、光学系全体が小型で、高速なフォーカシングが容易で、しかも高ズーム比で、全ズーム範囲及び全物体距離にわたり高い光学性能が容易に得られるズームレンズ及びそれを有する撮像装置の提供を目的とする。
【課題を解決するための手段】
【００１２】
本発明のズームレンズは、物体側から像側へ順に、正の屈折力の第１レンズ群、負の屈折力の第２レンズ群、正又は負の屈折力の第３レンズ群、正又は負の屈折力の第４レンズ群、正の屈折力の第５レンズ群、負の屈折力の第６レンズ群、正の屈折力の第７レンズ群から構成され、ズーミングに際して隣り合うレンズ群の間隔が変化するズームレンズにおいて、像ぶれ補正に際して、前記第６レンズ群が光軸に対して垂直方向の成分を持つように移動し、前記第６レンズ群の焦点距離をｆ６、広角端における全系の焦点距離をｆｗ、望遠端における前記第６レンズ群の横倍率をβ６ｔ、望遠端における前記第７レンズ群の横倍率をβ７ｔとするとき、
−６．０＜（１−β６ｔ）×β７ｔ＜−２．０
−５．０＜ｆ６／ｆｗ＜−０．５
なる条件式を満たすことを特徴としている。
【発明の効果】
【００１３】
本発明によれば、光学系全体が小型で、高速なフォーカシングが容易で、しかも高ズーム比で、全ズーム範囲及び全物体距離にわたり高い光学性能が容易に得られるズームレンズが得られる。
【図面の簡単な説明】
【００１４】
【図１】（Ａ）、（Ｂ）、（Ｃ）  実施例１の広角端、中間のズーム位置、望遠端におけるレンズ断面図
【図２】（Ａ）、（Ｂ）、（Ｃ）  実施例１の広角端、中間のズーム位置、望遠端における収差図
【図３】（Ａ）、（Ｂ）  本発明の実施例１のズームレンズの広角端、望遠端における０．３度の像位置変化後の横収差図
【図４】（Ａ）、（Ｂ）、（Ｃ）  実施例２の広角端、中間のズーム位置、望遠端におけるレンズ断面図
【図５】（Ａ）、（Ｂ）、（Ｃ）  実施例２の広角端、中間のズーム位置、望遠端における収差図
【図６】（Ａ）、（Ｂ）  本発明の実施例２のズームレンズの広角端、望遠端における０．３度の像位置変化後の横収差図
【図７】（Ａ）、（Ｂ）、（Ｃ）  実施例３の広角端、中間のズーム位置、望遠端におけるレンズ断面図
【図８】（Ａ）、（Ｂ）、（Ｃ）  実施例３の広角端、中間のズーム位置、望遠端における収差図
【図９】（Ａ）、（Ｂ）  本発明の実施例３のズームレンズの広角端、望遠端における０．３度の像位置変化後の横収差図
【図１０】（Ａ）、（Ｂ）、（Ｃ）  実施例４の広角端、中間のズーム位置、望遠端におけるレンズ断面図
【図１１】（Ａ）、（Ｂ）、（Ｃ）  実施例４の広角端、中間のズーム位置、望遠端における収差図
【図１２】（Ａ）、（Ｂ）  本発明の実施例４のズームレンズの広角端、望遠端における０．３度の像位置変化後の横収差図
【図１３】本発明の撮像装置の要部概略図
【発明を実施するための形態】
【００１５】
以下に本発明の好ましい実施の形態を、添付の図面に基づいて詳細に説明する。本発明のズームレンズは、物体側より像側へ順に、次のとおりである。正の屈折力（光学的パワー＝焦点距離の逆数）の第１レンズ群、負の屈折力の第２レンズ群、正又は負の屈折力の第３レンズ群、正又は負の第４レンズ群、正の屈折力の第５レンズ群、負の屈折力の第６レンズ群、正の屈折力の第７レンズ群より構成されている。そしてズーミングに際して、隣り合うレンズ群の間隔が変化する。
【００１６】
図１（Ａ）、（Ｂ）、（Ｃ）は本発明の実施例１のズームレンズの広角端（短焦点距離端）、中間ズーム位置、望遠端（長焦点距離端）におけるレンズ断面図である。図２（Ａ）、（Ｂ）、（Ｃ）はそれぞれ実施例１のズームレンズの広角端、中間ズーム位置、望遠端における収差図である。図３（Ａ）、（Ｂ）はそれぞれ実施例１のズームレンズの広角端、望遠端における０．３度の像位置変化後（像ぶれ補正後）の横収差図である。実施例１はズーム比４．１２、開口比３．６０〜５．８３程度のズームレンズである。
【００１７】
図４（Ａ）、（Ｂ）、（Ｃ）は本発明の実施例２のズームレンズの広角端、中間ズーム位置、望遠端におけるレンズ断面図である。図５（Ａ）、（Ｂ）、（Ｃ）はそれぞれ実施例２のズームレンズの広角端、中間ズーム位置、望遠端における収差図である。図６（Ａ）、（Ｂ）はそれぞれ実施例２のズームレンズの広角端、望遠端における０．３度の像位置変化後の横収差図である。実施例２はズーム比６．８１、開口比２．８８〜５．６０程度のズームレンズである。
【００１８】
図７（Ａ）、（Ｂ）、（Ｃ）は本発明の実施例３のズームレンズの広角端、中間ズーム位置、望遠端におけるレンズ断面図である。図８（Ａ）、（Ｂ）、（Ｃ）はそれぞれ実施例３のズームレンズの広角端、中間ズーム位置、望遠端における収差図である。図９（Ａ）、（Ｂ）はそれぞれ実施例３のズームレンズの広角端、望遠端における０．３度の像位置変化後の横収差図である。実施例３はズーム比７．４７、開口比３．３８〜５．６０程度のズームレンズである。
【００１９】
図１０（Ａ）、（Ｂ）、（Ｃ）は本発明の実施例４のズームレンズの広角端、中間ズーム位置、望遠端におけるレンズ断面図である。図１１（Ａ）、（Ｂ）、（Ｃ）はそれぞれ実施例４のズームレンズの広角端、中間ズーム位置、望遠端における収差図である。図１２（Ａ）、（Ｂ）はそれぞれ実施例４のズームレンズの広角端、望遠端における０．３度の像位置変化後の横収差図である。実施例４はズーム比４．７６、開口比３．６０〜５．８３程度のズームレンズである。図１３は本発明のズームレンズを備えるデジタルスチルカメラ（撮像装置）の要部概略図である。
【００２０】
各実施例のズームレンズはビデオカメラやデジタルスチルカメラ、銀塩フィルムカメラ、ＴＶカメラなどの撮像装置に用いられる撮影レンズ系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。
【００２１】
ＳＰは開放Ｆナンバー（Ｆｎｏ）の光束を決定（制限）する開口絞りである。ＩＰは像面である。像面ＩＰは、ビデオカメラやネットワークカメラの撮影光学系としてズームレンズを使用する際には、ＣＣＤセンサやＣＭＯＳセンサなどの固体撮像素子（光電変換素子）の撮像面に相当する。銀塩フィルムカメラの撮影光学系としてズームレンズを使用する際には、フィルム面に相当する。矢印は広角端から望遠端へのズーミング（変倍）に際して、各レンズ群の移動軌跡を示している。また無限遠から近距離へのフォーカシングに際しての移動方向を示している。
【００２２】
収差図においてＦｎｏはＦナンバー、ωは半画角であり、光線追跡値による画角である。球面収差図において、実線のｄはｄ線（波長５８７．５６ｎｍ）、２点鎖線のｇはｇ線（波長４３５．８ｎｍ）である。非点収差図で実線のΔＳはｄ線におけるサジタル像面であり、点線のΔＭはｄ線におけるメリディオナル像面である。歪曲収差はｄ線について示している。倍率色収差図において２点鎖線のｇはｇ線である。横収差図において実線のΔＭはｄ線のメリディオナル像面であり、点線のΔＳはｄ線のサジタル像面である。
【００２３】
尚、以下の各実施例において広角端と望遠端は変倍用のレンズ群が機構上、光軸上を移動可能な範囲の両端に位置したときのズーム位置をいう。まず実施例１，２，４のズームレンズのレンズ構成について説明する。
【００２４】
実施例１、２、４において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。更にＬ６は負の屈折力の第６レンズ群、Ｌ７は正の屈折力の第７レンズ群である。
【００２５】
実施例１、４のズームレンズは、広角端から望遠端へのズーミングに際して、第１レンズ群Ｌ１は物体側に単調移動している。そして広角端に比べ望遠端において第１レンズ群Ｌ１と第２レンズ群Ｌ２との間隔が広く、第２レンズ群Ｌ２と第３レンズ群Ｌ３の間隔が狭く、第３レンズ群Ｌ３と第４レンズ群Ｌ４との間隔が広く、第４レンズ群Ｌ４と第５レンズ群Ｌ５の間隔が狭くなる。更に第５レンズ群Ｌ５と第６レンズ群Ｌ６との間隔が広く、第６レンズ群Ｌ６と第７レンズ群Ｌ７の間隔が狭くなるように各レンズ群が移動している。
【００２６】
実施例２のズームレンズは広角端から望遠端へのズーミングに際して、第１レンズ群Ｌ１は像側へ凸状の軌跡で移動する。
【００２７】
そして、広角端に比べて望遠端において、第１レンズ群Ｌ１と第２レンズ群Ｌ２との間隔が広く、第２レンズ群Ｌ２と第３レンズ群Ｌ３との間隔が狭く、第３レンズ群Ｌ３と第４レンズ群Ｌ４との間隔が狭く、第４レンズ群Ｌ４と第５レンズ群Ｌ５との間隔が広くなる。更に、第５レンズ群Ｌ５と第６レンズ群Ｌ６との間隔が広く、第６レンズ群Ｌ６と第７レンズ群Ｌ７との間隔が狭くなるように各レンズ群が移動している。
【００２８】
実施例１、２、４では、第４レンズ群Ｌ４を光軸上移動させてフォーカシングを行っている。第４レンズ群Ｌ４の実線の曲線４ａと点線の曲線４ｂは各々無限遠と近距離にフォーカスしているときの広角端から望遠端のズーム位置へのズーミングの際の像面変動を補正するための移動軌跡である。また望遠端のズーム位置において無限遠から近距離へフォーカスを行う場合には、矢印４ｃに示すように第４レンズ群Ｌ４を前方へ繰り出すことで行っている。
【００２９】
実施例３において、Ｌ１は正の屈折力の第１レンズ群、Ｌ２は負の屈折力の第２レンズ群、Ｌ３は負の屈折力の第３レンズ群、Ｌ４は正の屈折力の第４レンズ群、Ｌ５は正の屈折力の第５レンズ群、Ｌ６は負の屈折力の第６レンズ群である。更にＬ７は正の屈折力の第７レンズ群である。
【００３０】
実施例３のズームレンズは、広角端から望遠端へのズーミングに際して、第１レンズ群は物体側に単調移動している。そして広角端に比べ望遠端において第１レンズ群Ｌ１と第２レンズ群Ｌ２との間隔が広く、第２レンズ群Ｌ２と第３レンズ群Ｌ３の間隔が広く、第３レンズ群Ｌ３と第４レンズ群Ｌ４との間隔が狭く、第４レンズ群Ｌ４と第５レンズ群Ｌ５の間隔が狭くなる。更に、第５レンズ群Ｌ５と第６レンズ群Ｌ６との間隔が広く、第６レンズ群Ｌ６と第７レンズ群Ｌ７の間隔が狭くなるように各レンズ群が移動している。
【００３１】
実施例３では、第３レンズ群Ｌ３を光軸上移動させてフォーカシングを行っている。第３レンズ群Ｌ３の実線の曲線３ａと点線の曲線３ｂは各々無限遠と近距離にフォーカスしているときの広角端から望遠端のズーム位置へのズーミングの際の像面変動を補正するための移動軌跡である。また望遠端のズーム位置において無限遠から近距離へフォーカスを行う場合には、矢印３ｃに示すように第３レンズ群Ｌ３を前方へ繰り出すことで行っている。
【００３２】
実施例１乃至実施例４のズームレンズでは、第６レンズ群Ｌ６を光軸に垂直方向の成分を持つように移動させることにより、光学系全体が振動（傾動）したときの撮影画像のぶれ（像ぶれ）を補正している。
【００３３】
各実施例では所定のズーム比を確保し、諸収差を良好に補正するために、物体側から像側へ順に、次のレンズ構成よりなっている。正の屈折力の第１レンズ群Ｌ１、負の屈折力の第２レンズ群Ｌ２、正又は負の屈折力の第３レンズ群Ｌ３、正又は負の屈折力の第４レンズ群Ｌ４、正の屈折力の第５レンズ群Ｌ５から構成されている。更に負の屈折力の第６レンズ群Ｌ６、正の屈折力の第７レンズ群Ｌ７から構成されている。
【００３４】
そして、広角端から望遠端へのズーミングに際し、第１レンズ群Ｌ１と第２レンズ群Ｌ２の間隔が増大することで変倍を行い、後続のレンズ群も移動させることで、望遠端での入射瞳を任意に移動させて、全系の小型化を図っている。また、ズーミングに際して第３レンズ群Ｌ３を移動させることで、第１レンズ群Ｌ１と第２レンズ群Ｌ２の変倍作用を分担してズーミングに際して第１レンズ群Ｌ１と第２レンズ群Ｌ２の移動量を軽減して、望遠端においてレンズ全長を短くしている。
【００３５】
さらに、第５レンズ群Ｌ５と第６レンズ群Ｌ６の間隔を増大することで変倍を行い、広角端において前玉有効径の増大を軽減しつつ、高ズーム比化に伴うレンズ全長の増大を軽減している。また、フォーカシングを第３レンズ群Ｌ３または第４レンズ群Ｌ４の移動により行う。これにより無限遠から近距離へのフォーカシングに際しての収差変動を軽減するとともに、フォーカシングに際しての収差変動、例えばコマ収差を軽減している。
【００３６】
第６レンズ群Ｌ６の焦点距離をｆ６、広角端における焦点距離をｆｗ、望遠端における第６レンズ群Ｌ６の横倍率をβ６ｔ、望遠端における第７レンズ群Ｌ７の横倍率をβ７ｔとする。このとき、
−６．０＜（１−β６ｔ）×β７ｔ＜−２．０  ・・・（１）
−５．０＜ｆ６／ｆｗ＜−０．５              ・・・（２）
なる条件式を満たしている。
【００３７】
次に前述の各条件式の技術的意味について説明する。条件式（１）は、第６レンズ群Ｌ６で像ぶれ補正するときの像シフト敏感度を規定したものである。ここで、像シフト敏感度ＴＳとは、像ぶれ補正用のレンズ群を光軸に対して垂直方向に移動させたときの像ぶれ補正用のレンズ群の垂直方向の移動量ΔＬとそのときの像面での像（結像位置）の光軸に対して垂直方向の移動量ΔＩの比
ＴＳ＝ΔＩ／ΔＬ
である。
【００３８】
条件式（１）の上限を超えると、像を所定量シフトするために必要な第６レンズ群Ｌ６の移動量が大きくなり、全系の小型化が困難となる。また、像を所定量シフトするために第６レンズ群Ｌ６をシフトした際の収差変動の抑制が困難となる。条件式（１）の下限を超えると、第６レンズ群Ｌ６の微小な移動に対し、像が大きくシフトし、高い精度でのシフトの制御が要求されるので、好ましくない。条件式（２）は、第６レンズ群Ｌ６の焦点距離を広角端における全系の焦点距離で規定したものである。
【００３９】
広画角化を図ると、前玉の径方向が増大するが、条件式（２）を満たすことにより、前玉有効径の小型化を図りつつ、広画角化を容易にしている。条件式（２）の上限を超えて第６レンズ群Ｌ６の負の屈折力が大きくなると（負の屈折力の絶対値が大きくなると）、高ズーム比化を図った際、ズーミングに伴う歪曲収差の変動が大きくなり、好ましくない。条件式（２）の下限を超えて第６レンズ群Ｌ６の負の屈折力が小さくなると（負の屈折力の絶対値が小さくなると）、レンズ全系の小型化が容易になるが、像面湾曲、非点収差、球面収差等の諸収差をバランス良く補正するのが困難になる。
【００４０】
各実施例において更に好ましくは条件式（１）、（２）の数値範囲を次の如く設定するのが良い。
【００４１】
−４．０＜（１−β６ｔ）×β７ｔ＜−２．１  ・・・（１ａ）
−３．０＜ｆ６／ｆｗ＜−０．７              ・・・（２ａ）
条件式（１ａ）を満たすことにより、高ズーム比化を図りつつ、ズーミングに際して像面湾曲のズーム変動を軽減して、高い防振性能を確保するのが容易になる。また、条件式（２ａ）を満たすことにより、広角端において歪曲収差を軽減しつつ、レンズ全長の短縮が容易になる。更に好ましくは条件式（１ａ）、（２ａ）の数値範囲を次の如く設定するのが良い。
【００４２】
−２．８＜（１−β６ｔ）×β７ｔ＜−２．２  ・・・（１ｂ）
−２．１＜ｆ６／ｆｗ＜−１．２              ・・・（２ｂ）
各実施例によれば、以上のように構成することによって、ズーム全域で高い結像性能を有し、高ズーム比で全系が小型で、しかも迅速なフォーカスが容易なズームレンズを得ている。
【００４３】
各実施例において、更に好ましくは次の条件式のうち１以上を満足するのがよい。第１レンズ群Ｌ１の焦点距離をｆ１とする。第２レンズ群Ｌ２の焦点距離をｆ２とする。第３レンズ群Ｌ３が正の屈折力で、第４レンズ群Ｌ４が負の屈折力のとき、第３レンズ群Ｌ３の焦点距離をｆ３、第４レンズ群Ｌ４の焦点距離をｆ４とする。第５レンズ群Ｌ５の焦点距離をｆ５、第７レンズ群Ｌ７の焦点距離をｆ７とする。望遠端における全系の焦点距離をｆｔとする。広角端における第２レンズ群Ｌ２の横倍率をβ２ｗ、望遠端における第２レンズ群Ｌ２の横倍率をβ２ｔとする。
【００４４】
広角端における第６レンズ群Ｌ６の横倍率をβ６ｗ、広角端における第７レンズ群Ｌ７の横倍率をβ７ｗとする。第６レンズ群Ｌ６は１つの正レンズＧ６ｐと１つの負レンズＧ６ｎから構成され、正レンズＧ６ｐの材料のアッベ数をνｄ６ｐ、負レンズＧ６ｎの材料のアッベ数をνｄ６ｎ、負レンズＧ６ｎの焦点距離をｆ６ｎとする。なお、材料のアッベ数νｄはフラウンホーファ線のｄ線、Ｆ線、Ｃ線における屈折率をＮｄ、ＮＦ、ＮＣとするとき、
νｄ＝（Ｎｄ−１）／（ＮＦ−ＮＣ）
で定義される。このとき、次の条件式のうち１以上を満足するのが良い。
【００４５】
０．０５＜｜ｆ２｜／ｆｔ＜０．５０                      ・・・（３）
０．０５＜ｆ５／ｆｔ＜０．５０                          ・・・（４）
２．０＜ｆ１／ｆｗ＜９．０                              ・・・（５）
０．２５＜ｆ２／ｆ６＜２．００                          ・・・（６）
０．１５＜ｆ７／ｆｔ＜２．００                          ・・・（７）
１．１＜β２ｔ／β２ｗ＜８．０                          ・・・（８）
１．０＜（β６ｔ／β６ｗ）×（β７ｔ／β７ｗ）＜２．０  ・・・（９）
０．５＜｜ｆ３／ｆ４｜＜１．２                          ・・・（１０）
１．２＜νｄ６ｎ／νｄ６ｐ＜３．０                      ・・・（１１）
０．０２＜ｆ６ｎ／ｆ６＜０．６０                        ・・・（１２）
【００４６】
次に各条件式の技術的意味について説明する。条件式（３）は、第２レンズ群Ｌ２の焦点距離ｆ２を望遠端における全系の焦点距離で規定したものである。条件式（３）の上限を超えて第２レンズ群Ｌ２の負の屈折力が小さくなると（負の屈折力の絶対値が小さくなると）高ズーム比化を図るためにレンズ全長を長くする必要があり全系の小型化が困難になる。条件式（３）の下限を超えて第２レンズ群Ｌ２の負の屈折力が大きくなると（負の屈折力の絶対値が大きくなると）高ズーム比化およびレンズ全長の短縮は容易となるが、ペッツバール和が負の方向に大きくなり、像面湾曲が増大してくる。
【００４７】
条件式（４）は、第５レンズ群Ｌ５の正の屈折力を規定したものであり、主に球面収差やコマ収差等を良好に補正しつつ、高ズーム比化を図るためのものである。条件式（４）の上限を超えて、第５レンズ群Ｌ５の屈折力が弱くなると、レンズ全長を短縮すること、及び高ズーム比化を達成することが難しくなる。条件式（４）の下限を超えて、第５レンズ群Ｌ５の屈折力が強くなると、全系の小型化が容易となるが、球面収差やコマ収差等の諸収差の発生が多くなり、これらの諸収差の補正が困難になる。
【００４８】
条件式（５）は、第１レンズ群Ｌ１の正の屈折力を規定したものであり、主に望遠側において球面収差やコマ収差等を良好に補正しつつ、望遠端におけるレンズ全長を短縮するためのものである。条件式（５）の上限を超えて、第１レンズ群Ｌ１の屈折力が小さくなると、望遠端においてレンズ全長を短縮すること、また高ズーム比化を図ることが難しくなる。条件式（５）の下限を超えて、第１レンズ群Ｌ１の屈折力が大きくなると、望遠側において球面収差やコマ収差等の諸収差の発生が多くなり、これらの諸収差の補正が困難になる。
【００４９】
条件式（６）は、第２レンズ群Ｌ２の焦点距離を第６レンズ群Ｌ６の焦点距離ｆ６で規定したものであり、主に高ズーム比化に伴う歪曲収差の変動を抑制しつつ、全系の小型化を図るものである。条件式（６）を満足するように、第２レンズ群Ｌ２と第６レンズ群Ｌ６の負の屈折力を適切に定めると、他のレンズ群の変倍分担比を大きくすることなく高ズーム比が容易になる。また、各レンズ群のレンズ枚数を少なくし、全系の小型化を図りつつ、高い結像性能を得るのが容易になる。
【００５０】
条件式（６）の上限を超えて第２レンズ群Ｌ２の負の屈折力が小さくなると、または第６レンズ群Ｌ６の負の屈折力が大きくなると、高ズーム比化を図るためにレンズ全長が増大してくる。条件式（６）の下限を超えて第２レンズ群Ｌ２の負の屈折力が大きくなると、または第６レンズ群Ｌ６の負の屈折力が小さくなると、高ズーム比化およびレンズ全長の短縮は容易になるが、ペッツバール和が負の方向に大きくなり、像面湾曲が増大してくる。
【００５１】
条件式（７）は、第７レンズ群Ｌ７の焦点距離ｆ７を、望遠端における全系の焦点距離ｆｔで規定したものである。条件式（７）の上限を超えて第７レンズ群Ｌ７の正の屈折力が小さくなると、射出瞳位置が望遠端で近くなり過ぎ、好ましくない。条件式（７）の下限を超えて第７レンズ群Ｌ７の正の屈折力が大きくなると、ズーミングに際して諸収差の発生が増大し、このときの諸収差を補正するには第７レンズ群Ｌ７のレンズ枚数を増加しなければならず、全系が大型化してくる。
【００５２】
条件式（８）は、広角端から望遠端へのズーミングにおける第２レンズ群Ｌ２の変倍比を規定したものである。条件式（８）の上限を超えて、第２レンズ群Ｌ２の変倍分担が大きくなりすぎると、第１レンズ群Ｌ１が大型化してくる。また、ズーミングに際して像面の変動が大きくなり、好ましくない。条件式（８）の下限を超えて、第２レンズ群Ｌ２の変倍分担が小さくなりすぎると、高ズーム比化を図りつつ、全系の小型化が困難になる。
【００５３】
条件式（９）は、広角端から望遠端へのズーミングにおける第６レンズ群Ｌ６と第７レンズ群Ｌ７の変倍比を規定したものである。条件式（９）の上限を超えて、第６レンズ群Ｌ６の変倍分担が大きくなりすぎると、ズーミングに際して歪曲収差の変動が増大してくる。条件式（９）の下限を超えて、第６レンズ群Ｌ６の変倍分担が小さくなりすぎると、高ズーム比化を図りつつ、全系の小型化が困難になる。また、前玉有効径が大型化してきて、好ましくない。
【００５４】
第３レンズ群Ｌ３は正の屈折力、第４レンズ群Ｌ４は負の屈折力を有する構成とするのが良い。これによれば、高ズーム比化とレンズ全系の短縮化が容易となる。
【００５５】
条件式（１０）は、このときの第４レンズ群Ｌ４の焦点距離に対する第３レンズ群Ｌ３の焦点距離の比に関し、主に高ズーム比化とレンズ全長の短縮化を図りつつ、ズーミングに際しての球面収差のズーム変動を軽減するためのものである。条件式（１０）の上限を超えて、第３レンズ群Ｌ３の屈折力の絶対値が小さくなると、望遠端において高次の球面収差が多く発生してくる。条件式（１０）の下限を超えて、第４レンズ群Ｌ４の屈折力の絶対値が小さくなると、第４レンズ群Ｌ４の変倍分担が小さくなり、高ズーム比化を図ると、レンズ全長が増大してくる。
【００５６】
条件式（１１）は、第６レンズ群Ｌ６の偏芯収差の発生を軽減するためのものである。条件式（１１）の上限を超えてアッベ数の比が大きくなると、第６レンズ群Ｌ６内の各レンズ面の曲率が小さくなり、ズーミングに際して第６レンズ群Ｌ６が偏芯した際の軸上色収差の変動が大きくなってくる。条件式（１１）の下限を超えてアッベ数の比が小さくなると第６レンズ群Ｌ６内の色消しのために各レンズ面の曲率が大きくなり、諸収差が増大し、このときの諸収差の補正が困難となる。
【００５７】
第６レンズ群Ｌ６は、正レンズと負レンズを接合した１つの接合レンズより構成するのが良い。これによれば２つのレンズ面の相対位置の誤差の結像性能へ与える偏芯色収差を抑制しつつ、偏芯コマ収差の敏感度を低減させることが容易となる。
【００５８】
条件式（１２）は、第６レンズ群Ｌ６の負レンズＧ６ｎの焦点距離を第６レンズ群Ｌ６の焦点距離で規定したものである。条件式（１２）の上限を超えて負レンズＧ６ｎの負の焦点距離が長くなると（負の焦点距離の絶対値が大きくなると）、望遠側におけるレンズ全長が増大し好ましくない。条件式（１２）の下限を超えて負レンズＧ６ｎの負の焦点距離が短くなると（負の焦点距離の絶対値が小さくなると）、望遠端におけるレンズ全長を短縮するのは容易となるが、コマ収差が多く発生し、コマ収差の補正が困難になる。更に好ましくは、条件式（３）乃至（１２）の数値範囲を次の如く設定するのが良い。
【００５９】
０．１０＜｜ｆ２｜／ｆｔ＜０．４０                        ・・・（３ａ）
０．１＜ｆ５／ｆｔ＜０．４                                ・・・（４ａ）
３．０＜ｆ１／ｆｗ＜７．５                                ・・・（５ａ）
０．３＜ｆ２／ｆ６＜１．７                                ・・・（６ａ）
０．２＜ｆ７／ｆｔ＜１．５                                ・・・（７ａ）
１．５＜β２ｔ／β２ｗ＜７．０                            ・・・（８ａ）
１．０３＜（β６ｔ／β６ｗ）×（β７ｔ／β７ｗ）＜１．５０・・・（９ａ）
０．６＜｜ｆ３／ｆ４｜＜１．１                            ・・・（１０ａ）
１．４＜νｄ６ｎ／νｄ６ｐ＜２．５                        ・・・（１１ａ）
０．０３＜ｆ６ｎ／ｆ６＜０．５０                          ・・・（１２ａ）
【００６０】
条件式（３ａ）を満たすことにより、第２レンズ群Ｌ２の屈折力の分担がより適正となり、広角端におけるレンズ全長の短縮化および前玉有効径の小型化が容易となる。条件式（４ａ）を満たすことにより、望遠端の長焦点距離化を図りつつ、ズーミングに際しての像面湾曲の変動を軽減するのが容易となる。条件式（５ａ）を満たすことにより、望遠端におけるレンズ全長の短縮化と球面収差の補正が容易となる。条件式（６ａ）を満たすことにより、高ズーム比化とレンズ枚数の削減が容易となる。
【００６１】
条件式（７ａ）を満たすことにより、所定量のバックフォーカスを確保しつつ、ズーミングに際しての倍率色収差の変動を軽減するのが容易となる。条件式（８ａ）を満たすことにより、高ズーム比化に伴う第１レンズ群Ｌ１から第３レンズ群Ｌ３までの移動量を適正に設定することが容易となる。条件式（９ａ）を満たすことにより、第６レンズ群Ｌ６の薄型化とズーミングに伴う歪曲収差の変動を軽減するのが容易となる。条件式（１０ａ）を満たすことにより、ズーミングに伴う球面収差の変動を軽減しつつ高ズーム比化が容易となる。
【００６２】
条件式（１１ａ）を満たすことにより、第６レンズ群Ｌ６の偏芯コマ収差の補正が容易になる。条件式（１２ａ）を満たすことにより、望遠端における正の歪曲収差を軽減するのが容易となる。さらに、好ましくは条件式（３ａ）乃至（１２ａ）の数値範囲を次の如く設定するのが良い。
【００６３】
０．１１＜｜ｆ２｜／ｆｔ＜０．３５                          ・・・（３ｂ）
０．１５＜ｆ５／ｆｔ＜０．３５                              ・・・（４ｂ）
３．５＜ｆ１／ｆｗ＜７．１                                  ・・・（５ｂ）
０．３５＜ｆ２／ｆ６＜１．４０                              ・・・（６ｂ）
０．２５＜ｆ７／ｆｔ＜０．９５                              ・・・（７ｂ）
１．８＜β２ｔ／β２ｗ＜６．２                              ・・・（８ｂ）
１．０５＜（β６ｔ／β６ｗ）×（β７ｔ／β７ｗ）＜１．３５  ・・・（９ｂ）
０．７＜｜ｆ３／ｆ４｜＜１．０                            ・・・（１０ｂ）
１．６＜νｄ６ｎ／νｄ６ｐ＜１．９                        ・・・（１１ｂ）
０．０４＜ｆ６ｎ／ｆ６＜０．４６                          ・・・（１２ｂ）
【００６４】
以上のように各実施例によれば、広画角、高ズーム比で、かつレンズ系全体が小型で、迅速なフォーカスが容易で、諸収差を良好に補正した高い光学性能のズームレンズが得られる。
【００６５】
各実施例において、第２レンズ群Ｌ２に非球面レンズを採用するのが良い。これによれば広角端において像面湾曲および歪曲収差を良好に補正することができる。また、実施例２乃至４のように、第７レンズ群Ｌ７に非球面レンズを採用するのが良い。これによれば像面湾曲を良好に補正することができる。また、第１レンズ群Ｌ１の最も物体側に負レンズを配置し、広角化に伴う倍率色収差を抑制することが望ましい。
【００６６】
次に本発明のズームレンズを撮影光学系として用いたデジタルスチルカメラの実施例を図１３を用いて説明する。図１３において、１０はカメラ本体、１１は実施例１乃至４で説明したいずれかのズームレンズによって構成された撮影光学系である。１２はカメラ本体に内蔵され、撮影光学系１１によって形成された被写体像を受光するＣＣＤセンサやＣＭＯＳセンサ等の固体撮像素子（光電変換素子）である。
【００６７】
以下、実施例１乃至４に対応する数値実施例１乃至４の具体的な数値データを示す。各数値実施例においてｉは物体側から数えた順序を示し、ｒｉは第ｉ番目の光学面（第ｉ面）の曲率半径である。ｄｉは第ｉ面と第（ｉ＋１）面との間の軸上間隔である。ｎｄｉ，νｄｉはそれぞれｄ線に対する第ｉ番目の光学部材の材料の屈折率、アッベ数である。また非球面係数はＸを光軸方向の面頂点からの変移量、ｈを光軸と垂直な方向の光軸からの高さ、ｒを近軸曲率半径、ｋを円錐定数、Ａ４，Ａ６，Ａ８，Ａ１０，Ａ１２・・・を各次数の非球面係数とするとき、
【００６８】
【数１】
2015132637.tif 000003
【００６９】
で表す。なお、各非球面係数における「ｅ±ＸＸ」は「×１０±XX」を意味している。また前記条件式と各数値実施例との関係を表１に示す。
【００７０】
［数値実施例１］
単位 mm
面データ
面番号       r        d      nd         νd
1        161.255    1.80   1.84666    23.8           
2         60.694    7.61   1.63854    55.4           
3        465.001    0.15                             
4         57.365    5.44   1.80400    46.6           
5        177.584  (可変)                             
6         77.712    1.30   1.83481    42.7           
7         14.008    8.61                             
8*       -55.042    1.20   1.85135    40.1           
9*        35.356    0.15                             
10         34.002    6.46   1.85478    24.8           
11        -28.709    0.21                             
12        -26.718    1.00   1.77250    49.6           
13       -202.259  (可変)                             
14         51.200    2.40   1.59522    67.7           
15        -91.988  (可変)                             
16        -44.756    0.80   1.91082    35.3           
17       -222.920  (可変)                             
18(絞り)    ∞       0.70                             
19         20.057    1.05   1.84666    23.8           
20         15.441    7.28   1.49700    81.5           
21        -60.793    0.20                             
22*        47.809    2.95   1.58313    59.4           
23        -83.627  (可変)                             
24        -56.404    3.28   1.84666    23.8           
25        -15.362    0.80   1.76200    40.1           
26         37.316  (可変)                             
27      -1372.861    2.59   1.60311    60.6           
28        -44.084    0.15                             
29         92.250    8.14   1.48749    70.2           
30        -16.466    1.30   1.80610    33.3           
31        -76.131  (可変)                             
像面        ∞   
【００７１】
非球面データ
第8面
K = 9.41904e+000  A 4= 1.09115e-005  A 6=-4.26769e-008 
A 8= 1.19874e-011  
第9面
K = 0.00000e+000  A 4=-7.00957e-006  A 6=-6.42162e-008  
第22面
K = 7.47953e+000  A 4=-2.62547e-005  A 6=-2.56167e-008 
A 8=-6.54406e-010  A10= 5.64855e-012  A12=-2.15921e-014  
各種データ
ズーム比     4.12 
広角     中間     望遠
焦点距離      24.75    52.09   101.92  
Fナンバー      3.60     4.81     5.83  
半画角（度）  41.16    22.56    11.98  
像高          21.64    21.64    21.64  
レンズ全長   146.25   166.83   195.25  
BF            38.99    58.34    73.70  
d 5            1.00    15.68    34.52  
d13           19.99     6.53     0.75  
d15            3.65     5.50     7.50  
d17            6.06     4.21     2.21  
d23            3.38     5.55     7.17  
d26            7.64     5.46     3.84  
d31           38.99    58.34    73.70  
ズームレンズ群データ
群  始面    焦点距離  
1    1      99.63  
2    6     -16.61  
3   14      55.61  
4   16     -61.61  
5   18      22.97  
6   24     -32.89  
7   27      93.82  
【００７２】
［数値実施例２］
単位 mm
面データ
面番号       r        d      nd         νd
1        148.254    2.40   1.85478    24.8           
2         73.845    7.83   1.49700    81.5           
3      -1493.518    0.15                             
4         64.073    5.61   1.77250    49.6           
5        183.391  (可変)                             
6*        70.013    1.20   1.85135    40.1           
7         12.935    7.70                             
8        -43.637    1.20   1.83481    42.7           
9         29.396    0.15                             
10         25.131    6.27   1.84666    23.8           
11        -28.082    1.00   1.77250    49.6           
12         76.339  (可変)                             
13         42.340    3.24   1.53775    74.7           
14        -36.010  (可変)                             
15        -33.649    0.80   1.88300    40.8           
16       -331.934  (可変)                             
17(絞り)    ∞       1.70                             
18         55.125    1.86   1.53775    74.7           
19        362.604    0.20                             
20         20.841    1.20   1.90366    31.3           
21         15.733    5.52   1.43875    94.9           
22       -150.932    0.20                             
23*        67.703    2.30   1.55332    71.7           
24        -84.009  (可変)                             
25        -49.501    2.53   1.85478    24.8           
26        -18.562    0.90   1.81600    46.6           
27         52.815  (可変)                             
28*        49.345    5.84   1.55332    71.7           
29        -29.298    0.20                             
30        103.181    6.19   1.49700    81.5           
31        -23.783    1.50   1.80610    33.3           
32       -153.471  (可変)                             
像面        ∞   
【００７３】
非球面データ
第6面
K = 0.00000e+000  A 4= 6.67736e-006  A 6=-9.95046e-009 
A 8=-9.09762e-011  A10= 4.71034e-013  A12=-8.04395e-016  
第23面
K = 0.00000e+000  A 4=-1.03048e-005  A 6=-7.27791e-009 
A 8= 4.44412e-011  
第28面
K = 0.00000e+000  A 4=-9.65411e-006  A 6= 9.94357e-009 
A 8=-2.22696e-011  
各種データ
ズーム比     6.81 
広角     中間     望遠
焦点距離      15.41    23.17   104.93  
Fナンバー      2.88     3.46     5.60  
半画角（度）  41.56    30.52     7.42  
像高          13.66    13.66    13.66  
レンズ全長   150.35   155.74   222.90  
BF            38.12    47.39    77.95  
d 5            1.00     6.57    52.51  
d12           19.74    10.28     0.95  
d14            5.91     4.74     5.81  
d16            1.88     3.05     1.98  
d24            2.27     6.43    14.15  
d27           13.74     9.58     1.87  
d32           38.12    47.39    77.95  
ズームレンズ群データ
群  始面    焦点距離  
1    1     108.62  
2    6     -11.79  
3   13      36.72  
4   15     -42.46  
5   17      26.47  
6   25     -32.20  
7   28      36.36  
【００７４】
［数値実施例３］
単位 mm
面データ
面番号       r        d      nd         νd
1        125.586    2.40   1.84666    23.8           
2         70.216    8.11   1.59522    67.7           
3       1014.883    0.15                             
4         63.023    5.57   1.72916    54.7           
5        147.521  (可変)                             
6*       402.513    1.20   1.85135    40.1           
7         15.103    8.14                             
8        -39.940    1.20   1.83481    42.7           
9         51.515    0.60                             
10         38.097    7.31   1.90200    25.1           
11        -33.166  (可変)                             
12        -25.635    1.00   1.80400    46.6           
13       2126.427    1.50   1.59270    35.3           
14        -85.514  (可変)                             
15       -116.407    1.66   1.69680    55.5           
16        -41.678  (可変)                             
17(絞り)    ∞       1.70                             
18*        19.382    4.41   1.55332    71.7           
19         99.795    0.20                             
20         68.010    1.20   1.85026    32.3           
21         18.191    5.63   1.43875    94.9           
22        -41.255  (可変)                             
23        -50.771    2.82   1.84666    23.8           
24        -15.884    0.90   1.83481    42.7           
25         64.579  (可変)                             
26*        52.971    6.03   1.55332    71.7           
27        -27.723    0.20                             
28         88.373    7.58   1.49700    81.5           
29        -20.699    1.50   1.88300    40.8           
30       -118.505  (可変)                             
像面        ∞   
【００７５】
非球面データ
第6面
K = 0.00000e+000  A 4= 1.23850e-005  A 6=-2.76682e-008 
A 8= 6.51206e-011  A10=-1.36905e-013  A12= 1.47851e-016  
第18面
K = 0.00000e+000  A 4=-1.07238e-005  A 6=-1.67202e-008 
A 8=-4.10703e-011  
第26面
K = 0.00000e+000  A 4=-3.06664e-006  A 6= 4.09463e-009 
A 8=-8.58739e-012  
各種データ
ズーム比     7.47 
広角     中間     望遠
焦点距離      18.05    42.46   134.85  
Fナンバー      3.38     4.22     5.60  
半画角（度）  37.12    17.84     5.78  
像高          13.66    13.66    13.66  
レンズ全長   165.71   186.71   228.61  
BF            41.46    53.36    71.30  
d 5            1.00    25.68    55.95  
d11            3.57     5.04     9.82  
d14           24.14    11.49     2.14  
d16            7.79     3.37     1.64  
d22            3.78    10.43    15.00  
d25           12.97     6.32     1.75  
d30           41.46    53.36    71.30  
ズームレンズ群データ
群  始面    焦点距離  
1    1     107.52  
2    6     -46.16  
3   12     -41.31  
4   15      92.33  
5   17      42.40  
6   23     -34.17  
7   26      38.25  
【００７６】
［数値実施例４］
単位 mm
面データ
面番号       r        d      nd         νd
1        161.255    1.80   1.84666    23.8           
2         65.373    7.66   1.59522    67.7           
3       1717.464    0.15                             
4         57.071    5.42   1.80400    46.6           
5        171.279  (可変)                             
6         95.475    1.30   1.83481    42.7           
7         14.605    8.22                             
8*       -59.431    1.20   1.85135    40.1           
9*        33.754    0.15                             
10         32.743    6.77   1.85478    24.8           
11        -29.001    0.07                             
12        -28.343    1.00   1.77250    49.6           
13       -549.661  (可変)                             
14         62.908    2.36   1.59522    67.7           
15        -71.751  (可変)                             
16        -41.607    0.80   1.91082    35.3           
17       -206.585  (可変)                             
18(絞り)    ∞       0.70                             
19         20.021    1.05   1.84666    23.8           
20         15.538    7.70   1.49700    81.5           
21        -73.229    0.20                             
22*        44.927    3.29   1.58313    59.4           
23        -66.129  (可変)                             
24        -50.672    3.24   1.84666    23.8           
25        -14.642    0.80   1.76200    40.1           
26         36.653  (可変)                             
27*       194.248    2.77   1.58313    59.4           
28        -53.539    0.15                             
29        168.664    8.32   1.48749    70.2           
30        -15.446    1.30   1.80610    33.3           
31        -58.060  (可変)                             
像面        ∞   
【００７７】
非球面データ
第8面
K = 1.08404e+001  A 4= 4.79751e-006  A 6=-2.77011e-008 
A 8= 7.57726e-012  
第9面
K = 0.00000e+000  A 4=-1.06401e-005  A 6=-3.39435e-008  
第22面
K = 7.22225e+000  A 4=-2.75791e-005  A 6=-3.43051e-008 
A 8=-5.66377e-010  A10= 4.03046e-012  A12=-1.50157e-014  
第27面
K = 0.00000e+000  A 6= 7.54213e-009  A 8=-6.49257e-012 
各種データ
ズーム比     4.76 
広角     中間     望遠
焦点距離      24.73    55.13   117.60  
Fナンバー      3.60     4.91     5.83  
半画角（度）  41.18    21.43    10.42  
像高          21.64    21.64    21.64  
レンズ全長   149.01   170.43   200.01  
BF            38.67    61.21    74.86  
d 5            1.00    14.67    36.53  
d13           21.35     6.55     0.63  
d15            3.30     5.50     7.95  
d17            6.61     4.41     1.96  
d23            4.03     6.26     7.97  
d26            7.64     5.41     3.70  
d31           38.67    61.21    74.86  
ズームレンズ群データ
群  始面    焦点距離  
1    1      94.58  
2    6     -16.63  
3   14      56.69  
4   16     -57.33  
5   18      22.50  
6   24     -31.00  
7   27      93.82  
【００７８】
【表１】
2015132637.tif 000004
【符号の説明】
【００７９】
Ｌ１…第１レンズ群      Ｌ２…第２レンズ群      Ｌ３…第３レンズ群
Ｌ４…第４レンズ群      Ｌ５…第５レンズ群      Ｌ６…第６レンズ群
Ｌ７…第７レンズ群
【図１】
2015132637.tif 000005
【図２】
2015132637.tif 000006
【図３】
2015132637.tif 000007
【図４】
2015132637.tif 000008
【図５】
2015132637.tif 000009
【図６】
2015132637.tif 000010
【図７】
2015132637.tif 000011
【図８】
2015132637.tif 000012
【図９】
2015132637.tif 000013
【図１０】
2015132637.tif 000014
【図１１】
2015132637.tif 000015
【図１２】
2015132637.tif 000016
【図１３】
2015132637.tif 000017